(57)【要約】【課題】土のうの袋詰めを能率よく行う。【解決手段】この発明の装置においては、上端が開口し内部に土のう袋Ｗを挿入する筒状の仕切枠１を複数個一体的に連設して単一の支持枠３を構成する。そして各仕切枠１の上端には仕切枠１内に挿入した上記土のう袋Ｗの開口部を折返して係止し開口状態で保持する開口枠２を設ける。さらに袋詰作業時に上記開口枠２間の隣接間隙を覆うように支持枠３上に載置される平板状の土受けカバー１０を設け、該土受けカバー１０には支持枠３上に載置した状態で各開口枠２と対応する投入孔１１と、該投入孔１１の外周に下向きに突設され開口枠２内に挿入されて土のう袋Ｗを開口状態で保持するガイド１２とをそれぞれ設けている。【選択図】図７
2006152801.tif 000002
【特許請求の範囲】
【請求項１】
上端が開口し内部に土のう袋（Ｗ）を挿入する筒状の仕切枠（１）を複数個一体的に連設して単一の支持枠（３）を構成し、各仕切枠（１）の上端には仕切枠（１）内に挿入した上記土のう袋（Ｗ）の開口部を折返して係止し開口状態で保持する開口枠（２）を設け、袋詰作業時に上記開口枠（２）間の隣接間隙を覆うように支持枠（３）上に載置される平板状の土受けカバー（１０）を設け、該土受けカバー（１０）には支持枠（３）上に載置した状態で各開口枠（２）と対応する投入孔（１１）と、該投入孔（１１）の外周に下向きに突設され開口枠（２）内に挿入されて土のう袋（Ｗ）を開口状態で保持するガイド（１２）とを設けた土のう製造装置。
【発明の詳細な説明】
【技術分野】
【０００１】
本発明は、土や砂或いはプラスチック粒状体等を充填する土のう（嚢）製造装置に関する。
【背景技術】
【０００２】
従来は土のうの袋詰めは人手のみによって行うか、これにコンベア等の機械を用いる方法が知られている。
【発明の開示】
【発明が解決しようとする課題】
【０００３】
従来人手のみによって土のうの袋詰めを行う場合は１日１人当たりの袋詰め量は数十袋が限度であり、またコンベア等の機械を用いてもその数倍が限度である等、コスト的にも不経済であった。
【課題を解決するための手段】
【０００４】
上記問題点を解決するための本発明の装置は、上端が開口し内部に土のう袋Ｗを挿入する筒状の仕切枠１を複数個一体的に連設して単一の支持枠３を構成し、各仕切枠１の上端には仕切枠１内に挿入した上記土のう袋Ｗの開口部を折返して係止し開口状態で保持する開口枠２を設け、袋詰作業時に上記開口枠２間の隣接間隙を覆うように支持枠３上に載置される平板状の土受けカバー１０を設け、該土受けカバー１０には支持枠３上に載置した状態で各開口枠２と対応する投入孔１１と、該投入孔１１の外周に下向きに突設され開口枠２内に挿入されて土のう袋Ｗを開口状態で保持するガイド１２とを設けたことを特徴としている。
【発明の効果】
【０００５】
以上のように構成される本発明によれば、従来人手のみによって袋詰めを行う場合の１日１人当たりの袋詰め量は数十袋が限度であり、またコンベア等の機械を用いてもその数倍が限度であるが、本発明の手段によればコスト的にも能率的にも多大な利点がある。
【０００６】
バックホウ等を用いて、土受けカバーの上面に土，砂等の土類を投下せしめて供給し、ならし棒等で上面を水平に均しながら全ての土のう袋に土類を落下投入せしめて充填することができる。この際、ならし棒等によって水平にならすことにより各袋への土類の充填量は略均一化される。
【発明を実施するための最良の形態】
【０００７】
本発明の一実施形態を図面に基づいて説明する。図１は土のう製造装置の使用状態を示す斜視図である。この例では下部が大径で上部が小径をなす角錐または台形状の周壁をなす所定高さ（略土のう袋の高さに相当）の正方形断面の筒状の仕切枠１を縦列で５個、横列で４個合計１０個形成すると共に、各仕切枠１の上端には土のう袋Ｗの開口部を係脱自在に支持する枡状の開口枠２を形成し、全体が長方形の集合体をなすように一体的に連設して単一なブロック状の支持枠３を構成し、４個分の支持枠３を中央部で連結する後述の連結部材９等を介して分解組立可能に一体的に接合することによって合計４０個の仕切枠１を形成し、その数分だけの土のう袋Ｗを一度に袋詰め製造可能に構成している。
【０００８】
上記仕切枠１は図７に示すように土のう袋Ｗを上方より挿入して立姿で収容し、土詰め時又は袋詰め状態で土のう袋Ｗの周面に当接して水平方向の位置決めと土のうの縦長の形状保持を行うものである。
また開口枠２は仕切枠１内に挿入した土のう袋Ｗの開口部を、外側に該開口部に設けたしぼり用の紐Ｗ１と共に折り返して巻掛けるように係止するもので、土のう袋Ｗへの土詰め作業時に、開口部を開口状態で保持するものである。
【０００９】
図２〜図６は上記製造装置の主な構成部材と組立時の詳細構造を示し、この例では支持枠３は先ず各仕切枠１を横方向及び縦方向の仕切板５，６で枠組構成すると共に、その外周を外枠７で囲繞形成される。
即ち、上記仕切板５，６は２枚の板状体の下端を接合させて上方を拡開させた断面Ｖ字形断面に形成され、横方向の仕切板５には、これと交差する縦方向の仕切板６のＶ字形断面に適合するＶ字形の複数の切欠溝５ａを、高さ幅の約１／２の深さに形成すると共に、所定間隔で平行に立てられた縦方向の仕切板６には上記各切欠溝５ａに対し、縦方向の仕切板６を上端側から差し込むに際し、上端が閉じられたＶ字形の切欠溝６ａが高さ幅の約１／２の深さに複数切欠形成されている。
【００１０】
これにより、各仕切板５，６は各切欠溝５ａ，６ａを相交合させて組み合わされるとき、多数の縦横仕切が組み立てられ且つ多数の枡目状の開口枠２を形成しながら仕切枠１が形成される。
このとき上記仕切板５，６は互いに同一高さに揃えられて交差するように組み立てられ、組立状態における支持枠３はその仕切枠１を台形筒に形成することができるものである。
【００１１】
外枠７は、上記のように組み立てられて全体として長方形（又は正方形）をなす横縦の仕切板５，６の外端に対して、上方から嵌合接合される大きさの筐枠状に形成している。
そして外枠７は組合わされた仕切板５，６を内部に嵌合させた状態において、その接合端部分を適宜な手段によって接合固定することにより、ブロック状の支持枠３を剛体構造となし取扱い易い外形を形成すると共に、外枠７の側壁の上下端にはリブ７ａ，７ｂを外周に向けて突出形成している。
【００１２】
この際上端のリブ７ａは後述するカバープレート８と同高さで面一に形成すると共に、下端のリブ７ｂは複数の支持枠３が連結部材９で連結されるコーナー部の両側において、ブロック状に肉厚に形成した連結部７０を所定の高さと長さでリブ幅に形成し、該連結部７０には横向きに貫通させた取付孔７１を適数設けている。
そして、上記相隣る支持枠３の連結部７０は、中央の連結具９０に形成した取付孔９１と取付ネジ９２を挿通して連結されることにより、相隣る支持枠３を同じ高さで安定よく連結し土のう袋の製造を良好に行うことができるようにしている。
【００１３】
また上記支持枠３における各開口枠２の開口縁は、隣接する開口枠２のものと連続しないように（即ち各開口枠２が隣接開口枠より分離されて独立の枡目を形成するように）開口枠２の隣接間隙部において凹入部１ａが形成されている。
即ち、縦横に網目状にクロスしている上記開口枠２のそれぞれの隣接間隙部分は、開口枠２の下端部分（仕切枠１の上端部分）において、これに対応する網目状のカバープレート８（開口枠２の外周に嵌合する孔を形成している。）を嵌合せしめるように落し込んで塞がれる。
その結果隣接仕切枠１間のＶ字形の溝内への土等の落下が防止されるとともに、各仕切枠１は上端においても隣接仕切枠１と正確な位置決めと姿勢を決められながら連結固定されることになる。
【００１４】
また上記カバープレート８を設けるに当たり、支持枠３の央部には該支持枠３を安定よく吊り上げることができる吊り部３０を設置している。
即ち、図５に示すように本実施形態における吊り部３０は吊り孔３１を穿設した板状片で形成され、平面視における支持枠３の中心部位で相隣る仕切枠１の中間部において、吊り孔３１を前記カバープレート８から上方に突出させながら剛体構造を以て埋設固定されている。これによりクレーン等の作業機２０の持上部２１で、上記吊り部３０の吊り孔３１にロープ３０ａ等を係止させて上方に吊り上げるとき、支持枠３は重心部位を一点で安定よく簡単に吊り上げることができるものである。
【００１５】
１０は支持枠３の開口枠２・・上に取り外し自在に載置される板状の土受けカバーであり、該土受けカバー１０には後述する袋詰め作業時に支持枠３の上端外周側と、開口枠２の隣接間隙を覆うように各開口枠２の内周への対応部分にのみ正方形の投入孔１１が形成されており、該投入孔１１の外周には、開口枠２内に遊嵌挿入される枡枠状のガイド１２が下向きに突設されている。
また土受けカバー１０には前述した吊り部３０を有する支持枠３に載置される際に、該吊り部３０に対応する箇所において吊り部３０を通過突出させる通孔１５を適宜穿設している。
尚、土受けカバー１０は各支持枠３の大きさ毎に単一に形成することが好ましいが、連結された支持枠３の全体を覆う大きさのものであってもよい。
【００１６】
次に図６において連結部材９の構成及び相隣る支持枠３・・の連結手段について説明する。
上記連結部材９は複数の支持枠３を組付ける際に、土のうの製造装置の中央部側を連結する平面視十字状の下部の連結具９０と上部の連結具９５、及び支持枠３，３の外側を連結する平板状の連結板９７とからなる。
【００１７】
下部の連結具９０は断面上向きコ字状で十字に形成された凹溝９０ａ内に、相隣る支持枠３，３のコーナー部に形成した取付部７０，７０を互いに接合させて嵌挿した状態において、凹溝９０ａの両側に立設した連結片９３，９３の取付孔９１と支持枠３の取付孔７１に取付ネジ９２を挿通し締着することにより、製造装置の中央下部の各支持枠３を一体的に強固に連結固定している。
尚、上記取付ネジ９２は丸頭に形成した雄ネジ軸９２ａと雌ネジ軸９２ｂとからなり、頭部を低くし土のう袋Ｗを損傷しないようにしている。
【００１８】
上部の連結具９５は相隣る支持枠３のリブ７ａと７ａの幅と略同幅な連結面を有する十字状に形成され、該リブ７ａに穿設された複数の取付孔７２に対応する部位に取付ボルト９４挿通用の取付孔９５ａを穿設すると共に、該取付ボルト９４を螺挿するネジ孔９６ａを有する取付片９６を８枚分有している。
これにより、連結具９５と取付片９６との間に相隣るリブ７ａ，７ａを挿入した状態で、取付ボルト９４を挿通し連結具９５と取付片９６を締着することにより、製造装置の中央部において支持枠３の上部の連結固定を簡単且つ強固に行うことができるようにしている。
また連結板９７は上記のように支持枠３が連結された状態において、互いの支持枠３の接合側の外側面に穿設された取付孔７５に、取付ネジ９７ａ及びナット９７ｂによって締着することにより、相隣る支持枠３の外側を強固に連結するようにしている。
【００１９】
上記機構により、土のう製造装置は支持枠３と土受けカバー１０と共に分解組立可能に構成され、各構成部品を分解状態で現場に運び、現場組立を行って次に述べる土のう製造作業終了後は再度分解して格納又は搬送できる等の特徴を有している。
上記土のうの製造装置は、例えば仕切板５，６及びカバープレート８並びに外枠７等を鉄板製で溶接又はＦＲＰ製で接着等の手段により支持枠３を一体固定し、あるいは支持枠３全体をプラスチック材で一体的に成形し、若しくは分割してプラスチック成形した筒状の仕切枠を多数組み合わせる等して形成することも可能である。
【００２０】
次に、図８〜図１０において吊下げ装置５０について説明する。
この吊下げ装置５０は以下の構成によって上記土のう製造装置で製造した土のう袋Ｗを吊下げ用の紐Ｗ１を介して吊下げることにより持ち上げて、トラック等の荷台に積込み上げ及び積下ろし或いは他の場所に運搬移動して移し変え可能にすると共に、この際に紐切れを生ずることのないようにしている。
即ち、図１０に示すようにこの吊下げ装置５０は断面円筒状のパイプからなる吊下杆（ビーム）５１と、該ビーム５１にその外周の紐掛け側の他側で中心線Ｐよりも下側に偏寄させた位置に下向き放射方向に突設した係止部５２とからなり、図示例においては紐掛け側からビーム５１の上方を通して係止部５２に係止されて迂回状に巻掛けられる紐Ｗ１の弛みを規制する位置決め用の規制片５３を、ビーム５１外周の頂部（上側）に付設している。
【００２１】
上記係止部５２は下向きに突設されたピン状の頭部に径大な紐外れ防止用の突起部５２ａを形成している。また規制片５３は丸棒状の先端部が上向きに拡開して自由端となるように、基部をビーム５１に溶着等の手段によって固定している。
これによって、土のう袋Ｗの紐Ｗ１を紐掛け側からビーム５１に巻掛けた状態において、そのループ部を係止部５２に嵌め込むことにより簡単に係止することができ、また係止状態にある紐Ｗ１を規制片５３とビーム５１間で形成される狭窄状の位置決め部５３ａで緩みや移動を防止するように位置決めすることができて、上方への吊下げを簡単且つ的確に行うと共に、土のう袋Ｗが吊下げられた状態において、ビーム５１の頂部を迂回して係止部５２に係止される紐Ｗ１の紐切れ等を良好に防止することができるようにしている。
【００２２】
この吊下げ装置５０は、図８（Ｃ）に示す土のう製造装置の開口枠２を縦方向に４個，横方向に８個一体的に列設した３２袋製造用の支持枠３に対応するように構成することにより、製造された３２袋分の土のう袋Ｗを図９に示すように一挙に吊下げ移動可能に構成している。
即ち、図８（Ａ）に示すように吊下げ装置５０は、横列の開口枠２に各対応する長さに形成したパイプ状の４本のビーム５１，５１・・を、その両側端を連結枠（横枠）５５で互いに連結することにより平面視で方形状に枠組みすると共に、各ビーム５１の杆身に沿って各開口枠２の中心部に対応する位置に、前述の係止部５２と規制片５３とを対となるようにそれぞれ設けている。
【００２３】
また枠組みされた各ビーム５１の両側下部に横方向の中心部から所定の等間隔を有して、袋詰め製造された土のう袋Ｗ上に脚体として載置可能な台座５６を複数設けると共に、該台座５６には縦方向の中心部から所定の等間隔を有してロープ或いはクレーン用のフック等の吊具３０ｂを係止可能な吊り部５７を設けている。
即ち、図示例の台座５６は、枠体の内部において各ビーム５１を下方から連結する補強枠と吊り部５７とを兼ねさせることにより、多数の土のう袋Ｗを安定よく的確に吊下げることができる剛性の高い簡潔な構成で廉価に製造することができる吊下げ装置５０を提供することができるようにしている。
【００２４】
また台座５６は土のう袋Ｗの肩部に載せて使用されることにより、土のう袋Ｗとビーム５１間に台座高さの紐掛け空間（台座空間）を形成するので、この紐掛け空間代で紐Ｗ１を自由に手繰ることができ、係止部５２への紐掛けを容易に行うことを可能とするものである。
尚、５７ａは吊り部としての吊り孔であり、この吊り孔５７ａを使用するとき
はシャックル等を用いて吊り上げるようにするとよい。
【００２５】
そして図示例の吊下げ装置５０は、係止部５２を手前側の２本のビーム５１に対しては内側に向けて突設することにより外側を紐掛け側にしており、且つ左側の２本のビーム５１に対しても、係止部５２を内側に向けて突出させて外側が紐掛け側となるようにしている。
これにより、作業者は製造された土のう群の両側で外側から各土のう袋Ｗ毎の紐Ｗ１のループ部を係止部５２に簡単に係止することができ、この際、係止部５２に支障されることなく土のう袋Ｗ上にある紐Ｗ１を前記紐掛け空間を介して上方に手繰り上げ、ビーム５１上を通して位置決め部５３ａに差し込みながら係止部５２に簡単に嵌め込み係止することができるものである。尚、ことのとき係止された紐Ｗ１はその下方を引下げて弛みを取るようにすると、紐Ｗ１はこの状態において規制片５３に規制されて上方への弛みを生じないので、係止部５２から不慮に離脱することを防止されて良好に持ち上げることができる。
【００２６】
そして、吊下げ装置５０が吊具３０ｂ及びフック２１を介し作業機２０によって上昇され土のう袋Ｗの重量が紐Ｗ１に掛かると、紐Ｗ１はビーム５１に巻掛けられた状態で係止部５２に係止されて緊張するが、この場合土のう袋Ｗの重量はビーム５１に巻掛けられた紐の中途部と係止部５２に係止するループ部に分散して掛かることになる。
このとき紐Ｗ１は、ビーム５１に充分に巻掛けられていることにより、紐Ｗ１の中途部に掛かる力をビーム５１の巻掛け代に分散させて支受されるので、この分係止部５２に係止されたループ部に加えられる力を少なくすることができることになり、紐Ｗ１のループ部に加えられる集中荷重を抑制してこの部の紐切れ等を良好に防止することができる。
【００２７】
また土のう袋Ｗを昇降し運搬移動する際に生ずる揺れに対しても、この揺れに伴う揺れ荷重を係止部５２に係止された紐Ｗ１のループ部に直接的に加えることなく、ビーム５１の巻掛け代の摩擦力に分散させて紐切れを具合よく防止することができる等の利点がある。
尚、規制片５３の向きは図示例のものに限ることなく手前側の２本のビーム５１は右向きに設けると共に、奥側の２本のビーム５１は左向きに設けるようにしてもよい。
【００２８】
次に、複数の支持枠３を連結部材９によって連結構成してなる土のうの製造装置による土のう製造作業並びに土のう袋の吊り上げ作業について説明する。
図１〜図６について説明したように、地面等平坦面上に載置されて支持枠３を組み立てられた装置に対し、図７で示すように先ず紐Ｗ１付の土のう袋Ｗを仕切枠１内に挿入し、その開口端を紐Ｗ１とともに仕切枠１の開口部である開口枠２に折り返して係止し、上記開口枠２上には土受けカバー１０を載置することにより隣接仕切枠１間の間隙を覆うとともに袋Ｗを押圧固定する。
【００２９】
次いで例えばバックホウ等作業機のショベル部２２等を用いて、土受けカバー１０の上面に土，砂等の土類２３を投下せしめて供給すると共に、ならし棒２４等で上面を水平に均しながら全ての土のう袋Ｗに土類２３を落下投入せしめて充填する。
この際、ならし棒２４等によって水平にならすことにより各袋Ｗへの土類２３の充填量は略均一化される。
一方袋Ｗは、投入された土圧により各仕切枠１の内周壁に沿った状態で圧接されると共に、底部は地面或いは床面に支受されて保持されている。
【００３０】
続いて、土受けカバー１０を吊り上げ又は人手で持ち上げて支持枠３から除去した後、各袋Ｗの開口端を開口枠２から取り外し、次いで支持枠３をワイヤーロープ３０ａ等を用いて吊り上げると、充填後の土のう袋Ｗは図９（Ａ）に示すように支持枠３の仕切枠１の枡目に沿って整列された状態で床面上に残される。
【００３１】
上記のように整列配置された土のう袋Ｗは、一列毎又は区画されたブロック毎、若しくは整列配置された全ての袋Ｗの紐Ｗ１を引き出して袋開口部を絞ると共に、開口部の下方を紐Ｗ１で適数回巻付けて結び固定することによって土のう袋Ｗの製造が完了される。
そして、製造された土のう袋Ｗ群の上に吊下げ装置５０を図９（Ａ）に示すように台座５６を介して載置し、ループ状になった紐Ｗ１を既述の要領によって吊下げ装置５０の係止部５２毎に引っ掛けたのち、作業機２０を用い吊具３０ｂを介し吊下げ装置５０を持ち上げることにより土のう袋Ｗ吊り上げることができる
ものである。
【００３２】
従って、吊下げ装置５０は製造されて列設状態にある多数の土のう袋Ｗの各紐Ｗ１を、吊具５５の数だけフック５４に引っ掛けて一挙に持ち上げて簡単且つ能率よく移動することができる。
尚、上記吊下げ装置５０に設置される吊具５５は支持枠３の仕切枠１と同じ数だけ設けることが好ましいが、持ち上げ重量が過大になるような場合には吊具５５を上記数の数分の１だけ設け、持ち上げ作業を適数回繰り返すことにより行うようにするとよい。また吊具５５の長さは作業者が吊下げ装置５０の側方或いは下方において袋掛け作業を自由に行うことができるように充分な長さにするとよい。
【００３３】
このようにして吊り下げられた土のう袋Ｗは、トラック又は貨車等の搬送手段に転載し若しくは所定箇所に、吊下げ装置５０毎に簡単且つ一挙に移送配置することができ、この状態で紐Ｗ１を係止部５２から外してその場に整然と下ろすことができる。
また整列配置され且つ整列状態で工事現場に運ばれた土のう袋Ｗは、所定数毎に再度吊下げ装置５０で吊り上げて、工事位置に荷降ろしして最終的な位置直しをするだけで積み上げ工事等を簡単に行うことができる。
【００３４】
この場合、図示例の４本のビーム５１を備えた吊下げ装置５０では以下のような横並び下ろし作業或いは積み重ね下ろし作業等を簡単且つ所望に行うことができるものである。
即ち、吊下げ装置５０は３２袋の土のう袋Ｗを吊り下げた状態において作業機２０を横移動させながら、ビーム５１毎に吊下された８袋の土のう袋Ｗを両外側から内側のものへと交互に外して横方向に列設すると、３２袋分の土のう袋Ｗを人力で持ち運びすることなく能率よく横方向へ整然と並べて横並び下ろし作業を簡単に行うことができる。
また積み重ね下ろし作業は作業機２０の定位置において上記と同様に両外側のビーム５１毎に吊下げ装置５０の重心の変動を大きくすることなく下ろすことにより、８袋分の土のう袋Ｗの上に次位のビーム５１の土のう袋Ｗを順次整然と能率よく積み重ねることができるものである。
【００３５】
以上のように構成した土のう袋Ｗの製造及び吊下げ手段によれば、袋詰めから搬送，荷降ろし及び土のう積み工事まで、土のう袋Ｗを直接人手によって運んだり持ち上げたりする等の重労働を伴わないで作業ができる利点があるほか、バックホウやショベル系の重機等のように土類を土のう袋に投下供給する機能と、荷物を吊り上げる機能を兼ね備えた建設機械を用いれば、土木建設現場で一般に使用される一台の機械で袋詰め作業から荷積み作業、或いは土木作業現場で袋詰めを行う場合は、袋詰め作業から土のう積み作業までを行うことができる利点がある。
【００３６】
ちなみに従来人手のみによって袋詰めを行う場合の１日１人当たりの袋詰め量は数十袋が限度であり、またコンベア等の機械を用いてもその数倍が限度であるが、本発明の手段によれば１日数千の袋詰めが可能であり、コスト的にも能率的にも多大な利点がある。
【００３７】
そして吊下げ装置５０は、上述した土のうの製造装置で製造された土のう袋Ｗに限ることなく、図１１，図１２に示す支持枠残置型の土のう製造装置で製造された土のう袋Ｗに対しても同様に用いることができると共に、人手による在来の袋詰め手段によって製造された土のう袋Ｗにおいても良好に使用することができるものである。また、吊下げ装置５０は土のう袋の他に紐によって吊り下げられる任意な物体（被吊下げ物）に対しても具合よく使用することができるものであり、この場合紐はロープ，帯体，ワイヤー等であってもよい。
【００３８】
また同図に示す土のう製造装置の支持枠３は既述の実施形態と同様な連結手段の構成によって、複数の支持枠３が連結組付け自在に製作されており、該支持枠３の外枠７の内側には下方を小径とし上方を径大に形成した仕切枠１を、前記実施形態のものと同様な配置によって適数形成している。
そして、支持枠３の上部には多数の投入口１１ａを有する開口枠板２ａを、支持枠３と同じ大きさに形成し着脱可能に設置している。上記投入口１１ａは各仕切枠１の央部に対向しその周囲に上方に立ち上がらせた袋係止用の開口枠２を形成している。
【００３９】
また上記開口枠板２ａの上部に、前記実施形態と同様に土のう袋Ｗを位置決め固定する投入口１１を形成した土受けカバー１０を、着脱可能に設置するようにしている。
この支持枠３による土のうの製造作業は、仕切枠１内に嵌入した土のう袋Ｗの開口部を開口枠板２ａの開口枠２に係止した状態で、上方から土受けカバー１０を載置することにより開口部を固定し、土２３を投入口１１から土のう袋Ｗ内に充填供給する。次いで土受けカバー１０及び開口枠体２ａを取り外したのち紐Ｗ１を縛り以て開口部を閉口する。そして、既述したと同様に吊下げ装置５０を用いて各土のう袋Ｗを吊り上げて一挙に取り出すことができるものである。
【００４０】
この実施形態によれば、土のう袋Ｗを吊り上げるとき前述した土のう製造装置の実施形態のように支持枠３を除去することなく、該支持枠３内に土のう袋Ｗを収容させたままで土のう袋Ｗの紐結び開口及び取り出し等を行うことができるので、土のうの製造及び取出作業等を簡単且つ能率よく行うことができる等の特徴がある。
またこの土のう製造装置によって製造された土のう袋Ｗを吊下げ装置５０を用いて取り出す作業は、吊下げ装置５０を残置されている支持枠３上に台座５６を載置し安定姿勢に支持した状態において紐掛け空間を形成し、ビーム５１及び係止部５２に対する紐掛けを良好に行うことができる等の利点がある。
【図面の簡単な説明】
【００４１】
【図１】土のう製造装置の全体構造を示す斜視図である。
【図２】（Ａ），（Ｂ）は縦仕切板の側面図及び端面図である。
【図３】（Ａ），（Ｂ）は横仕切板の側面図及び端面図である。
【図４】外枠の斜視図である。
【図５】支持枠の組立構造を示す斜視図である。
【図６】（Ａ）は支持枠を構成する部品の斜視図、（Ｂ）は相隣る支持枠の連結構造を示す断面図、（Ｃ）は取付ネジの斜視図である。
【図７】支持枠による土のう袋の製造方法を示す拡大断面図である。
【図８】（Ａ）は吊下げ装置の斜視図、（Ｂ）は土受けカバーの斜視図、（Ｃ）は支持枠の斜視図である。
【図９】（Ａ）は吊下げ装置の紐掛け作業を示す斜視図、（Ｂ）は吊下げ装置による土のう袋の吊下げ作業を示す斜視図である。
【図１０】（Ａ）は吊下げ装置の構造を示す要部の斜視図、（Ｂ）は（Ａ）の側断面図である。
【図１１】別の土のう製造装置による袋詰め作業を一部破断して示す側面図である。
【図１２】図１１に示す土のう製造装置によって袋詰めされた土のう袋を、吊下げ装置に袋掛けする状態を一部破断して示す側面図である。
【符号の説明】
【００４２】
１      仕切枠
２      開口枠
３      支持枠
５，６  仕切板
７      仕切板（サイドカバー）
１０    土受けカバー
２３    土類
５０    吊下げ装置
５１    吊下杆（ビーム）
５２    係止部
５３    規制片
５３ａ  位置決め部
５６    台座
５７    吊り部
Ｗ      土のう袋（被吊下げ物）
Ｗ１    紐
【図１】
2006152801.tif 000003
【図２】
2006152801.tif 000004
【図３】
2006152801.tif 000005
【図４】
2006152801.tif 000006
【図５】
2006152801.tif 000007
【図６】
2006152801.tif 000008
【図７】
2006152801.tif 000009
【図８】
2006152801.tif 000010
【図９】
2006152801.tif 000011
【図１０】
2006152801.tif 000012
【図１１】
2006152801.tif 000013
【図１２】
2006152801.tif 000014